(57)【要約】【課題】太陽電池モジュールの枠の軒側辺を覆うカバーの着脱を容易にする。【解決手段】カバー２０を太陽電池モジュールの前枠１２の壁面１２ｂに取り付けるには、まずカバー２０の突起部２０ａを前枠１２の溝２１ｂに差し込んで上列突出部２１の先端２１ａに引っ掛ける。そして、カバー２０を矢印方向Ａに回転移動させて、カバー２０の桟部２０ｂの先端を前枠１２の下列突出部２２の先端２２ａに押し付けて、下列突出部２２の先端２２ａをカバー２０の桟部２０ｂの突起部２０ｃと爪部２０ｄ間に嵌合させる。【選択図】図６
2005079459.tif 000002
【特許請求の範囲】
【請求項１】
屋根上に段葺き状に設置される太陽電池モジュールにおいて、
該太陽電池モジュールを縁取る枠体の軒側辺に、別体のカバーを該枠体の軒側辺と直交する方向に着脱可能に取り付けるためのカバー取り付け部を設けたことを特徴とする太陽電池モジュール。
【請求項２】
カバー取り付け部は、枠体の軒側辺に沿って設けられた上下２列の突出部であることを特徴とする請求項１に記載の太陽電池モジュール。
【請求項３】
カバー取り付け部は、枠体の軒側辺に沿って設けられた上列の溝と下列の突出部であることを特徴とする請求項１に記載の太陽電池モジュール。
【請求項４】
上列の突出部の先端が上方向に屈曲し、下列の突出部の先端が下方向に屈曲したことを特徴とする請求項２に記載の太陽電池モジュール。
【請求項５】
下列の突出部の突出長が上列の突出部の突出長よりも長いことを特徴とする請求項２に記載の太陽電池モジュール。
【請求項６】
下列の突出部の先端が斜め下方向に屈曲したことを特徴とする請求項２又は３に記載の太陽電池モジュール。
【請求項７】
突出部の先端の断面形状が丸くされたことを特徴とする請求項２又は３に記載の太陽電池モジュール。
【請求項８】
請求項１乃至７のいずれかに記載の太陽電池モジュールを縁取る枠体の軒側辺のカバー取り付け部に、別体のカバーを取り付けたことを特徴とする太陽電池モジュール。
【請求項９】
請求項１乃至７のいずれかに記載の太陽電池モジュールを縁取る枠体の軒側辺のカバー取り付け部に、該枠体の軒側辺と直交する方向に着脱自在に取り付けられることを特徴とする太陽電池モジュールのカバー。
【請求項１０】
カバー取り付け部は、枠体の軒側辺に沿って設けられた上下２列の突出部であり、
カバーは、枠体の軒側辺に向き合う該カバーの片側に、カバー取り付け部の上下２列の突出部に係止する上下２列の係止部を有することを特徴とする請求項９に記載の太陽電池モジュールのカバー。
【発明の詳細な説明】
【技術分野】
【０００１】
本発明は、屋根上に段葺き状に設置される太陽電池モジュール及びそのカバーに関する。
【背景技術】
【０００２】
近年、太陽電池モジュールとしては、瓦と共にもしくは瓦の代わりに、屋根上に設置されるものが提供されており、瓦と同様に、太陽電池モジュールを段葺き状に並べて、屋根全体の外観の向上を図っている（特許文献１等を参照）。
この様な太陽電池モジュールは、屋根上に設置されることから、風圧等により屋根上でずれたり外れることを防止する必要ある。このため、例えば太陽電池モジュールを縁取る前枠（軒側の枠）及び後枠にそれぞれの爪を設けて、屋根上の前後の各太陽電池モジュール間で前枠の爪と後枠の爪を相互に引っ掛けて、各太陽電池モジュールを一体化して固定している。
また、屋根上の左右の各太陽電池モジュール間での雨水の漏れを防止したり、雨水を貯めないで流すために、左右の各太陽電池モジュール間で左枠の縁と右枠の縁を上下に重ね合わせている。
【特許文献１】特開２００２−２５０１０５号公報
【発明の開示】
【発明が解決しようとする課題】
【０００３】
ところで、太陽電池モジュールを縁取る枠には、複数の雄ネジの頭が露出することが多い。例えば、爪を前枠に取り付けるための各雄ネジの頭が該前枠に露出したり、左右の枠を上下の枠に取り付けるための各雄ネジの頭が前枠に露出することがある。この場合は、屋根の軒を見上げると、太陽電池モジュールの前枠の各ネジが露見し、外観上好ましくない。また、各ネジが風雨に晒されて錆びたときには、太陽電池モジュールの外観が益々悪くなる。
【０００４】
また、太陽電池モジュールの枠が屋根の瓦の厚みや形状と異なる場合は、太陽電池モジュールの外観が屋根の瓦と調和しない。
【０００５】
この様な理由から、太陽電池モジュールを段葺き状に並べてみても、屋根上の太陽電池モジュールの外観に著しい違和感を覚えることがあった。
【０００６】
このため、例えば太陽電池モジュールの前枠を覆って、前枠の各雄ネジの頭を隠したり、前枠の外観を屋根の瓦に調和させるというカバーが提供されている。この様な従来のカバーは、太陽電池モジュールの前枠に設けられたガイドに沿ってスライドさせられつつ、ガイドに嵌合されて、前枠に取り付けられる。
【０００７】
しかしながら、屋根上の施行現場では、太陽電池モジュールを屋根に設置してから、長いカバーを太陽電池モジュールの前枠のガイドに沿ってスライドさせて取り付けていたので、その作業が非常に困難であった。また、作業者は、前のめりになって、自分の手を屋根上の太陽電池モジュールの後側から前側へと延ばして、長いカバーをスライドさせて前枠に取り付けるため、非常に危険であった。
【０００８】
更に、左右に並設された各太陽電池モジュールにそれぞれのカバーを取り付けた後で、中央付近の太陽電池モジュールのカバーを交換する必要が生じたときには、該太陽電池モジュールのカバーをスライドさせるために、該太陽電池モジュールに隣り合う他の太陽電池モジュールのカバーをもスライドさせる必要があり、カバーの交換作業に多大な手間と時間を費やすこととなった。
【０００９】
そこで、本発明は、上記従来の問題点に鑑みてなされたものであり、カバーの着脱を容易に行なうことができる太陽電池モジュール及びそのカバーを提供することを目的とする。
【課題を解決するための手段】
【００１０】
上記課題を解決するために、本発明は、屋根上に段葺き状に設置される太陽電池モジュールにおいて、該太陽電池モジュールを縁取る枠体の軒側辺に、別体のカバーを該枠体の軒側辺と直交する方向に着脱可能に取り付けるためのカバー取り付け部を設けている。
【００１１】
また、本発明においては、カバー取り付け部は、枠体の軒側辺に沿って設けられた上下２列の突出部である。
【００１２】
更に、本発明においては、カバー取り付け部は、枠体の軒側辺に沿って設けられた上列の溝と下列の突出部である。
【００１３】
また、本発明においては、上列の突出部の先端が上方向に屈曲し、下列の突出部の先端が下方向に屈曲している。
【００１４】
更に、本発明においては、下列の突出部の突出長が上列の突出部の突出長よりも長くされている。
【００１５】
また、本発明においては、下列の突出部の先端が斜め下方向に屈曲している。
【００１６】
更に、本発明においては、突出部の先端の断面形状が丸くされている。
次に、本発明の太陽電池モジュールでは、上記本発明の太陽電池モジュールを縁取る枠体の軒側辺のカバー取り付け部に、別体のカバーを取り付けている。
【００１７】
また、本発明の太陽電池モジュールのカバーは、上記本発明の太陽電池モジュールを縁取る枠体の軒側辺のカバー取り付け部に、該枠体の軒側辺と直交する方向に着脱自在に取り付けられる。
【００１８】
更に、本発明においては、カバー取り付け部は、枠体の軒側辺に沿って設けられた上下２列の突出部であり、カバーは、枠体の軒側辺に向き合う該カバーの片側に、カバー取り付け部の上下２列の突出部に係止する上下２列の係止部を有している。
【発明の効果】
【００１９】
本発明によれば、太陽電池モジュールを縁取る枠体の軒側辺に、別体のカバーを該枠体の軒側辺と直交する方向に着脱可能に取り付けるためのカバー取り付け部を設けている。別体のカバーを枠体の軒側辺と直交する方向に着脱可能であることから、別体のカバーを枠体の軒側辺のカバー取り付け部に押し付けて取り付け、引っ張って外すことになる。このため、カバーの着脱作業が容易であり、また太陽電池モジュールのカバーを交換するために、他の太陽電池モジュールのカバーを着脱する必要がなく、カバーの交換作業も容易かつ速やかに行なうことができる。
【００２０】
また、カバー取り付け部は、枠体の軒側辺に沿って設けられた上下２列の突出部である。あるいは、カバー取り付け部は、枠体の軒側辺に沿って設けられた上列の溝と下列の突出部である。いずれの場合でも、カバー側には、上列の突出部又は溝と下列の突出部に係止するそれぞれの係止部を設けることになる。これにより、長い枠体の軒側辺のいずれの部位であっても、カバーを強固に取り付けることができる。
【００２１】
更に、上列の突出部の先端が上方向に屈曲し、下列の突出部の先端が下方向に屈曲しているので、カバーの各係止部を各突出部に容易に引っ掛けることができる。
【００２２】
また、下列の突出部の突出長が上列の突出部の突出長よりも長くされている。この場合は、上列の突出部側で、カバーを枠体の軒側辺に引き付けて確実に係止することができる。また、下列の突出部側では、カバーを枠体の軒側辺から離間させて係止することになり、カバーを枠体の軒側辺に接触させないことから、係止に伴うカバーの動きを確実に感じ取ることができ、カバーの着脱の作業性が向上する。
【００２３】
更に、下列の突出部の先端が斜め下方向に屈曲していたり、突出部の先端の断面形状が丸くされているので、カバー取り付け部に対するカバーの着脱を滑らかに行なうことができる。
【００２４】
次に、本発明の太陽電池モジュールでは、上記本発明の太陽電池モジュールを縁取る枠体の軒側辺のカバー取り付け部に、別体のカバーを取り付けている。これにより、太陽電池モジュールの軒側辺を覆って、軒側辺の各雄ネジの頭を隠したり、軒側辺を屋根の瓦に調和させることができる。
【００２５】
また、本発明の太陽電池モジュールのカバーは、上記本発明の太陽電池モジュールを縁取る枠体の軒側辺のカバー取り付け部に、該枠体の軒側辺と直交する方向に着脱自在に取り付けられる。従って、本発明のカバーは、枠体の軒側辺のカバー取り付け部に押し付けられて取り付けられ、引っ張られて外される。このため、カバーの着脱作業が容易であり、また太陽電池モジュールのカバーを交換するために、他の太陽電池モジュールのカバーを着脱する必要がなく、カバーの交換作業も容易かつ速やかに行なうことができる。
【００２６】
更に、カバー取り付け部は、枠体の軒側辺に沿って設けられた上下２列の突出部であり、カバーは、枠体の軒側辺に向き合う該カバーの片側に、カバー取り付け部の上下２列の突出部に係止する上下２列の係止部を有している。これにより、長い枠体の軒側辺のいずれの部位であっても、カバーを強固に取り付けることができる。
【発明を実施するための最良の形態】
【００２７】
以下、本発明の実施形態を添付図面を参照しつつ詳細に説明する。
【実施例１】
【００２８】
図１（ａ）及び（ｂ）は、本発明の太陽電池モジュールの実施例１を示す平面図及び正面図である。また、図２は、本実施例の太陽電池モジュールを示す縦断面図である。
【００２９】
本実施例の太陽電池モジュール１０では、太陽電池パネル１１の前後の縁を前枠１２の溝１２ａと後枠１３の溝１３ａに差し込み、太陽電池パネル１１の左右の縁を左枠１４と右枠１５間に挟み込んで、太陽電池パネル１１を支持している。
【００３０】
太陽電池パネル１１は、複数の太陽電池セル１１ａを配列してパネル状に支持したものである。また、前枠１２の下側角に爪部１６をネジ止めし、後枠１３の上側面に爪部１７をネジ止めしている。更に、前枠１２及び後枠１３の下側に保護板１８を固定し、太陽電池パネル１１の裏面側を保護板１８により覆っている。
【００３１】
前枠１２は、後で明らかとなる様に太陽電池モジュール１０の枠の軒側に向く辺となり、カバー２０により覆われる。カバー２０を前枠１２に取り付けるために、前枠１２の壁面１２ｂに上下２列の突出部２１、２２を設けている。
【００３２】
尚、各枠１２〜１５はアルミ等の金属製であり、またカバー２０は弾性変形可能な合成樹脂製である。
【００３３】
ここで、図３に示す様に前枠１２の上列突出部２１の先端２１ａは、上方向に屈曲されており、先端２１ａと前枠１２の壁面１２ｂ間に溝２１ｂが形成されている。また、下列突出部２２の先端２２ａは、前枠１２の壁面１２ｂに対して３０度の傾斜角で下方向に屈曲されている。前枠１２の壁面１２ｂからの下列突出部２２の先端２２ａの突出長は、上列突出部２１の先端２１ａの突出長よりも長くされている。更に、上列突出部２１の先端２１ａ及び下列突出部２２の先端２２ａの断面形状は、丸くされている。
【００３４】
また、図４及び図５に示す様にカバー２０は、断面形状が略鉤型であり、上側端から垂下した突起部２０ａ、内壁面に突設された桟部２０ｂ、桟部２０ｂに突設された突起部２０ｃ、及び桟部２０ｂの先端に設けられた爪部２０ｄを有している。突起部２０ａ、突起部２０ｃ、及び爪部２０ｄの先端の断面形状は、丸くされている。
【００３５】
カバー２０を前枠１２の壁面１２ｂに取り付けるには、まず図６（ａ）に示す様にカバー２０の突起部２０ａを前枠１２の溝２１ｂに差し込んで上列突出部２１の先端２１ａに引っ掛ける。そして、カバー２０を矢印方向Ａに回転移動させて、カバー２０の桟部２０ｂの先端を前枠１２の下列突出部２２の先端２２ａに押し付けて、図６（ｂ）に示す様に下列突出部２２の先端２２ａをカバー２０の桟部２０ｂの突起部２０ｃと爪部２０ｄ間に嵌合させる。
【００３６】
前枠１２の上列突出部２１の先端２１ａの突出長が短いために、カバー２０の上側端の突起部２０ａを前枠１２の壁面１２ｂに引き付けて確実に係止することができる。また、前枠１２の下列突出部２２の先端２２ａの突出長が長いことから、下列突出部２２側では、カバー２０を前枠１２から離間させて係止することになり、カバー２０を前枠１２に接触させないことから、係止に伴うカバー２０の動きを確実に感じ取ることができ、カバー２０の着脱の作業性が向上する。
【００３７】
また、前枠１２の下列突出部２２の先端２２ａが斜め下方向に屈曲されていることから、この先端２２ａをカバー２０の突起部２０ｃと爪部２０ｄ間に容易に嵌合させることができる。更に、前枠１２の各先端２１ａ、２２ａの断面形状が丸くされ、かつカバー２０の各突起部２０ａ及び爪部２０ｄの先端の断面形状が丸くされていることから、カバー２０の突起部２０ａを前枠１２の溝２１ｂに滑らかに差し込むことができ、前枠１２の下列突出部２２の先端２２ａをカバー２０の突起部２０ｃと爪部２０ｄ間に滑らかに嵌合させることができる。
【００３８】
従って、カバー２０の突起部２０ａを前枠１２の溝２１ｂに差し込んでから、カバー２０を前枠１２側に押し付けるという簡単な作業により、カバー２０を前枠１２の壁面１２ｂに取り付けることができる。
【００３９】
また、カバー２０を前枠１２の壁面１２ｂから取り外すには、カバー２０を引っ張り、カバー２０を図６の矢印方向Ａとは逆方向に回転移動させて、前枠１２の下列突出部２２の先端２２ａをカバー２０の突起部２０ｃと爪部２０ｄ間から外し、カバー２０の突起部２０ａを前枠１２の溝２１ｂから抜き取れば良く、カバー２０の取り外し作業も簡単である。
【００４０】
次に、本実施例の太陽電池モジュール１０の施行例を図７乃至図１０を参照しつつ説明する。
【００４１】
まず、図７に示す様に屋根の野地板３１上に、複数の瓦桟３２を間隔を開けて固定し、最も軒側に複数の瓦３３を一列に並べて配置する。このとき、図９に示す様に瓦３３の後側の凸部３３ａを瓦桟３２に引っ掛け、ネジ３４を軒先金具３５の孔及び瓦３３の孔に通して瓦桟３２にねじ込み、瓦３３を固定する。
【００４２】
次に、１列目の太陽電池モジュール１０を配置し、図９に示す様に１列目の太陽電池モジュール１０の前枠１２の爪部１６を瓦３３側の軒先金具３５の爪部３５ａに引っ掛け、また図１０に示す様に鉤状固定金具３６の先端３６ａを１列目の太陽電池モジュール１０の後枠１３の下側の溝１３ｂに差し込んで、ネジ３７を鉤状固定金具３６の孔に通して瓦桟３２にねじ込み、１列目の太陽電池モジュール１０を固定する。そして、図６（ａ）、（ｂ）の手順で、カバー２０を１列目の太陽電池モジュール１０の前枠１２に取り付ける。
【００４３】
更に、２列目の太陽電池モジュール１０を配置し、図１０に示す様に２列目の太陽電池モジュール１０の前枠１２の爪部１６を１列目の太陽電池モジュール１０の後枠１３の爪部１７に引っ掛け、また鉤状固定金具３６の先端３６ａを２列目の太陽電池モジュール１０の後枠１３の下側の溝１３ｂに差し込んで、ネジ３７を鉤状固定金具３６の孔に通して瓦桟３２にねじ込み、２列目の太陽電池モジュール１０を固定する。そして、図６（ａ）、（ｂ）の手順で、カバー２０を２列目の太陽電池モジュール１０の前枠１２に取り付ける。
【００４４】
以降同様に、次の列の太陽電池モジュール１０を配置し、該列の太陽電池モジュール１０の前枠１２の爪部１６を前列の太陽電池モジュール１０の後枠１３の爪部１７に引っ掛け、また鉤状固定金具３６の先端３６ａを該列の太陽電池モジュール１０の後枠１３の下側の溝１３ｂに差し込んで、ネジ３７を鉤状固定金具３６の孔に通して瓦桟３２にねじ込み、該列の太陽電池モジュール１０を固定し、カバー２０を該列の太陽電池モジュール１０に取り付ける。
【００４５】
これにより、図７及び図８に示す様に屋根上で各瓦３２及び各太陽電池モジュール１０が一体化されて固定され、各太陽電池モジュール１０の前枠１２がそれぞれのカバー２０により覆われる。この状態では、屋根の軒を見上げると、各瓦３３の軒側辺と各太陽電池モジュール１０のカバー２０が見えることになる。このため、カバー２０として、各瓦３３の軒側辺の厚み、形状、及び色等に調和するものを製作して用いれば、各太陽電池モジュール１０の枠の軒側辺の外観が各瓦３３に調和した好ましいものとなる。
【００４６】
また、カバー２０を交換する必要が生じたときには、カバー２０を引っ張るだけで太陽電池モジュール１０から簡単に取り外すことができ、新たなカバー２０を該太陽電池モジュール１０の前枠１２に押し付けるだけで簡単に取り付けることができる。従って、カバー２０の交換作業を簡単かつ短時間に行なうことができる。
【００４７】
尚、本発明は、上記実施例に限定されるものではなく、多様に変形することができる。例えば、図１１（ａ）に示す様な前枠１２の壁面１２ｂに上下２列の突出部４１ａ、４１ｂを突設し、カバー４２を各突出部４１ａ、４１ｂに引っ掛けて取り付けても良い。カバー４２の取り付けは、図１１（ｂ）に示す様にカバー４２の内側に一方の突出部４１ａを入れて引っ掛けてから、カバー４２を矢印方向Ｂに回転移動させて他方の突出部４１ｂに押し付けて、カバー４２の内側に他方の突出部４１ｂを入れることによりなされる。カバー４２の取り外しは、カバー４２を矢印方向Ｂとは反対方向に回転移動させて他方の突出部４１ｂから外し、引き続いてカバー４２を一方の突出部４１ａからも外すことによりなされる。
【００４８】
また、前方から見たときのカバーの形状として、特定の瓦を連ねてなる軒側辺の形状を模倣しても良いし、多様な瓦を連ねてなるそれぞれの軒側辺に共通する平均的な形状を模倣しても良い。更に、瓦に関係なく、太陽電池モジュール独自のデザインの向上のために、カバーの形状や色彩等を設定しても良い。
【図面の簡単な説明】
【００４９】
【図１】（ａ）及び（ｂ）は、本発明の太陽電池モジュールの実施例１を示す平面図及び正面図である。
【図２】本実施例の太陽電池モジュールを示す縦断面図である。
【図３】本実施例の太陽電池モジュールの前枠を拡大して示す側面図である。
【図４】本実施例の太陽電池モジュールのカバーを示す斜視図である。
【図５】図４のカバーを示す側面図である。
【図６】（ａ）及び（ｂ）は、図４のカバーを図３の前枠に取り付ける手順を示す図である。
【図７】本実施例の太陽電池モジュールを屋根上に取り付けた状態を示す側面図である。
【図８】本実施例の太陽電池モジュールを屋根上に取り付けた状態を示す平面図である。
【図９】図７の瓦と太陽電池モジュールを拡大して示す縦断面図である。
【図１０】図７の前列及び後列の太陽電池モジュールを拡大して示す縦断面図である。
【図１１】（ａ）及び（ｂ）は、図１の太陽電池モジュールの変形例を示す図である。
【符号の説明】
【００５０】
１０  太陽電池モジュール
１１  太陽電池パネル
１２  前枠
１３  後枠
１４  左枠
１５  右枠
１６、１７  爪部
１８  保護板
２０  カバー
２１、２２  突出部
３１  野地板
３２  瓦桟
３３  瓦
３４、３７  ネジ
３５  軒先金具
３６  鉤状固定金具                                                                                
【図１】
2005079459.tif 000003
【図２】
2005079459.tif 000004
【図３】
2005079459.tif 000005
【図４】
2005079459.tif 000006
【図５】
2005079459.tif 000007
【図６】
2005079459.tif 000008
【図７】
2005079459.tif 000009
【図８】
2005079459.tif 000010
【図９】
2005079459.tif 000011
【図１０】
2005079459.tif 000012
【図１１】
2005079459.tif 000013